(57)【特許請求の範囲】
【請求項１】
容器に取り付けられる液体注出部および当該液体注出部に回動可能な形で設けられたキャップからなる注出構造において、
前記液体注出部は、
その上面部分に形成された液体注出用の筒状部と、
閉状態の前記キャップの一部分と対向する縁部分とを備え、
前記キャップは、
その天井部に形成されて前記筒状部に係合する栓部分と、
その天井部に前記栓部分よりも下方まで形成され、閉操作時の当該キャップの回動の際に、前記筒状部の外周面との間の案内作用に基づいて前記栓部分を当該筒状部の中に案内するためのガイドと、
その天井部に続く周壁部と、
前記一部分としての周壁部縁部分とを備え、
前記液体注出部の縁部分および前記キャップの周壁部縁部分の形状を、当該液体注出部が当該キャップによって閉じられたときにも当該縁部分および当該周壁部縁部分がその対向範囲において離間したままで互いの接触部分を生じない、態様に設定した、
ことを特徴とする注出構造。
【請求項２】
前記液体注出部の縁部分は、その内側から外側へと下っていくテーパ面である、
ことを特徴とする請求項１記載の注出構造。
【請求項３】
前記液体注出部の筒状部は、その流出側部分の実効断面積が流入側部分のそれよりも大きいものである、
ことを特徴とする請求項１または２記載の注出構造。
【発明の詳細な説明】
【０００１】
【発明の属する技術分野】
本発明は、うがい液、薬品や化粧品などの液体注出用の孔部を持つ注出部、および当該注出部に回動可能な形で取り付けられたキャップ部を有する注出構造に関し、特に、キャップ部を閉じるときにその一部で残留液体を飛散させないようにしたものである。
【０００２】
【従来の技術】
図４ないし図７は従来の注出構造に関する説明図であり、図４は注出構造自体の外観正面図および側面図、図５は図４の注出構造を容器に取り着けた状態の断面、図６は図５のキャップを開いた状態、図７は液体を注出している状態を表している。
【０００３】
ここで、１は注出用の孔部、２は栓、３はいくらかの弾性を有する合成樹脂で形成した鞘状の注出部、３ａは注出部３上面の縁部、３ｂは注出部３の内周面に形成したネジ、３ｃは注出部３上面の端部に設けた係合用凸部、３ｄは孔部１を有する筒状部、４はキャップ、４ａは指掛け部、４ｂはキャップ４の下面の縁部、４ｃはキャップ４の内周面、５は注出部３とキャップ４とを連結するヒンジ、６は容器、６ａは容器６の開口部、６ｂは容器６の外周面に形成したネジ、７は液体をそれぞれ示している。
【０００４】
注出部３は、その内面に容器６の開口部と係合するネジ３ｂを形成し、上面部分には注出用の孔部１を有し、当該孔部１を設けた上面部分の縁部３ａには、ほぼ一周にわたりキャップ４の内周面４ｃに係合する凸部３ｃを有している。
【０００５】
キャップ４を閉じた図６の状態では、注出部３の全周にわたる凸部３ｃとキャップ４の内周面４ｃとが係合し、また孔部１は栓２で塞がれている。
そして、この閉じた状態では、両者の対向する縁部３ａ、４ｂの対向部分全体が接する形になっている。
【０００６】
指掛け部４ａを用いてキャップ４を時計方向に回動させた図７の状態では、当該キャップ４はヒンジ５の作用により注出部３に対して図示の一定の角度で停止する。
【０００７】
図６の状態の容器を図７のように傾けて、さらには当該容器６の外周面を押すなどして液体７を注出することができる。
使用後は、容器を図７の正立状態に戻してからキャップ４を閉じ、その内周面４ｃを注出部３ａの係合用凸部３ｃに係合させればよい。
【０００８】
【発明が解決しようとする課題】
孔部１が図７の斜めの状態から図５の正立状態に戻るとき、出口付近に残った液体７が注出部本体３の上面部の縁部３ａや凸部３ｃに付着してしまい、さらには、縁部３ａはキャップ４の縁部４ｂとの当接面であり、その当接面積が大であるため、ここに付着した液体は、キャップ４と注出部本体３の係合時に周囲に飛散してしまうという問題点を有していた。
【０００９】
また、孔部１の流入部から流出部まで同一の径であるため、容器６を正立状態に戻すときの液切れが悪く、容器６内部に戻りきれなかった液が縁部３ａ、凸部３ｃに流れるという問題点も有していた。
【００１０】
そこで、本発明では、キャップ部下面の縁部とこれに対応した注出部上面部分との形状を、キャップが閉じたときに離れた状態となるようにして、注出部上面部分に残っている液体が飛び散らないようにすることを目的とする。
【００１１】
また、注出用の孔部の流れ方向とは直交する方向の断面積を流出部の方が流入部よりも大きくなるようにして、容器を傾けて使用した後で元の正立状態に戻すときの液切れをより確実なものにすることを目的とする。
【００１２】
【課題を解決するための手段】
本発明では、この課題を次のようにして解決する。
（１）容器に取り付けられる液体注出部および当該液体注出部に回動可能な形で設けられたキャップからなる注出構造において、
前記液体注出部に、
その上面部分に形成された液体注出用の筒状部と、閉状態の前記キャップの一部分と対向する縁部分とを備え、
前記キャップに、
その天井部に形成されて前記筒状部に係合する栓部分と、その天井部に前記栓部分よりも下方まで形成され、閉操作時の当該キャップの回動の際に、前記筒状部の外周面との間の案内作用に基づいて前記栓部分を当該筒状部の中に案内するためのガイドと、その天井部に続く周壁部と、前記一部分としての周壁部縁部分とを備え、
前記液体注出部の縁部分および前記キャップの周壁部縁部分の形状を、当該液体注出部が当該キャップによって閉じられたときにも当該縁部分および当該周壁部縁部分がその対向範囲において離間したままで互いの接触部分を生じない、態様に設定する。
（２）上記（１）において、
前記液体注出部の縁部分を、その内側から外側へと下っていくテーパ面にする。
（３）上記（１），（２）において、
前記液体注出部の筒状部を、その流出側部分の実効断面積が流入側部分のそれよりも大きいものにする。
【００１４】
本発明は、このような構成をとっているので、キャップ部を注出部に閉じたときの残留液の飛散を防止することができ、また使用後の容器を起こして元の状態に戻すときの液切れをより確実にすることができる。
【００１５】
【発明の実施の形態】
図１ないし図３を用いて、本発明の実施の形態を説明する。
図１は注出構造を容器に取り着けた状態の断面図、図２は図１のキャップを開いた状態を示す説明図、図３は注出用の孔部の拡大図である。また、図３の (a)は本発明の注出用の孔部の切断部拡大端面図、 (b)は内面をテーパ形状にした孔部の切断部拡大端面図、 (c)は流入側に流量調整板を設けた孔部の拡大透視図を示している。
【００１６】
これらの図において、１ａは係合用凸部、１ｂは注出用の孔部１内部に設けた流量調整板、２ａは凸部１ａに対応の凸部、３ｅは外側が低いテーパ形状にした縁部、３ｆは注出部３の上面端部、８は案内用ガイドであり、他の構成要素は図４ないし図７で示した従来の注出構造と同様のものであり、同じ参照番号を用いて説明する。
【００１７】
本注出構造では、注出部３の縁部３ｅを、テーパ形状として注出部３の外周面に全周にわたって設け、上面端部３ｆをキャップ４の内周面４ｃに当接しない位置に設け、キャップ４と注出部３の間に隙間を形成している。
【００１８】
このため、注出が終わった後で図２から図１の状態にして、キャップ４を閉じたときに、注出部３の縁部３ｅや上面端部３ｆがキャップ４の縁部４ｂや内周面４ｃと接触することはないので、この部分に液体６が残っていても飛散することはない。
【００１９】
また、縁部３ｅや上面端部３ｆに残っていた液体６は、縁部３ｆを外側が低いテーパ形状としてあるので、その部分から流れ落ちてしまう。
【００２０】
本明細書では、図１、２に示すように、縁部３ｅのみテーパ形状としているが、キャップ４の内周４ｃおよび縁部４ｂと注出部本体３の縁部３ｅおよび上面端部３ｆとが、接触しないような任意の形状を用いることができ、縁部３ｅと上面端部３ｆとの連続したテーパ形状や、凹形状、あるいはＬ形にするなどしたりしてもよく、逆にキャップ４側の縁部４ｂと内周面４ｃの形状を変化させてキャップ４と注出部３とが接触しないようにしてもよい。
【００２１】
本注出構造では、孔部１の内周面とこれに挿入される栓２の外周面それぞれに設けた係合部材１ａ、２ａ同志の係合作用により、キャップ４を注出部３に係止している。
【００２２】
これらの係合部は、孔部１の内部に位置しているので、当該係合部に液が付着した状態で係合しても、液体７は容器内部側に戻され容器外部へ飛散することはない。
【００２３】
係合部２ａが形成された栓２の周囲には、注出部３上面から突出した形状で孔部１を形成している筒状部３ｄと対応する形で、筒状の案内用ガイド８を設けている。
【００２４】
図２の状態から図１の状態にして蓋を係合するとき、筒状部３ｄの外周面とガイド８の内周面との相互の案内作用により、栓２は確実に孔部１に案内され、両者の位置がずれることはない。
【００２５】
なお、筒状部３ｃおよびガイド８の形状は、孔部１に栓２を案内するものであればよく、図示のような凸状と筒状の組み合わせには限定されない。
【００２６】
また、図３の拡大図に示すように、筒状部３ｄに設けた孔部１の内部形状は容器からの流出側の内径をＬ１、流入側の内径をＬ２（Ｌ１＞Ｌ２）として、流入側より流出側の実効断面積を大きくしている。
【００２７】
孔部１内部の実効断面積を変化させ、孔部１の出口付近の実効断面積を大きくし、孔部１の出口付近に残った液を容器６内部に戻しやすくしたため、容器６を正立状態に戻すときの液切れをよくすることができる。
【００２８】
孔部１内部の形状は、流入側と流出側の実効断面積を変化させ、それぞれの場所での流通可能量を変化させればよく、図３(b) に示すように内面全体をテーパ形状にしてもよく、あるいは図３(c) のように孔部１自体は同一の内径にして、流入側に流量調整板１ｂを設けて当該部分の実効断面積を小さくするようにしてもよい。
【００２９】
【発明の効果】
本発明はこのように、注出部とキャップとの従来の当接、係合部に隙間を形成し、注出用の孔部の内部に係合部材を設けているので、キャップを閉じる際に、液体が飛散することを防ぐことができる。
【００３０】
さらに、注出用の孔部の実効面積を流入側と流出側とで変化させているので、注出終了時に孔部の出口付近に残った液を、容器内部に確実に戻すことができ、液切れをよくすることができる。
【図面の簡単な説明】
【図１】本発明の、注出構造を容器に取り着けた状態の断面図である。
【図２】図１の注出構造のキャップを開いた状態を示す断面図である。
【図３】本発明の、注出構造の注出用の孔部の拡大図である。
【図４】従来の、注出構造自体の外観正面図および側面図である。
【図５】図４の注出構造を容器に取り着けた状態を示す断面図である。
【図６】図５の注出構造のキャップを開いた状態を示す断面図である。
【図７】液体を注出している状態を示す断面図である。
【符号の説明】
１・・・注出用の孔部
１ａ・・係合用凸部
１ｂ・・流量調整板
２・・・栓
２ａ・・凸部１ａに対応の凸部
３・・・注出部
３ａ・・注出部上面の縁部
３ｂ・・注出部の内周面に形成したネジ
３ｃ・・係合用凸部
３ｄ・・筒状部
３ｅ・・注出部上面の縁部
３ｆ・・注出部の上面端部
４・・・キャップ
４ａ・・指掛け部
４ｂ・・キャップ下面の縁部
４ｃ・・キャップの内周面
５・・・ヒンジ
６・・・容器
６ａ・・開口部
６ｂ・・ネジ
７・・・液体
８・・・案内用ガイド
【図１】
0003760271.tif 000002
【図２】
0003760271.tif 000003
【図３】
0003760271.tif 000004
【図４】
0003760271.tif 000005
【図５】
0003760271.tif 000006
【図６】
0003760271.tif 000007
【図７】
0003760271.tif 000008